(57)【特許請求の範囲】
【請求項１】
外装本体の先端内部にスプリングより常に後方に弾発支持されたレフィール本体を配し、前記レフィール本体に羽根部を設け、前記外装本体の内壁にはカム溝が設けられ、前記カム溝に噛み合うように回転カムの突部を配設し、前記回転カムの後方、前記カム溝内には摺動カムの突起を配置させ、更に前記摺動カムの後方には上下動変換部材を配置し前端部を摺動カムに当接し、後端面には凹凸状部を有し、更に後方に外装本体の軸線に対して垂直方向に摺動可能とする押圧片を設けており、前記押圧片は前記外装本体に相対して穿設した孔から露呈され、前記回転カム、摺動カム、上下動変換部材、押圧片に挿設して前記レフィール本体を設け、前記押圧片には前記上下動変換部材の後端面の凹凸状部と当接する逆凹凸状部を設けており、軸線に対し垂直方向である押圧片の左右の摺動により上下動変換部材と同時に摺動カムを上下に摺動させるとともに、前面端が前記羽根部に当接している回転カムを回転させながら上下動させレフィール本体の筆記先端部を露呈、収納させることを特徴とするサイドノック式筆記具。
【請求項２】
摺動カムに当接保持するようにスプリング６Ｂを設け、更に上下動変換部材により前記スプリング６Ｂを覆い隠すように設けた請求項１に記載したサイドノック式筆記具。
【請求項３】
上下動変換部材の後端面と押圧片の前端面の凹凸形状のどちらか一方を凹部形状、他方を凸部形状としたことを特徴とする請求項１又は請求項２に記載したサイドノック式筆記具。
【請求項４】
押圧片の後端面上に弾性戻り部材を設け、外装本体の内壁面に当接され、前記押圧片の軸線に対して垂直方向の左右の摺動により弾性戻り部材に弾発力が蓄積され、押圧片を常にもとの位置に戻ることを特徴とする請求項１又は請求項２又は請求項３に記載したサイドノック式筆記具。
【発明の詳細な説明】
【０００１】
【産業上の利用分野】
本願発明は、本発明は、筆記具本体の軸線に対して垂直方向に押圧することによて筆記具先端を本体から露呈させる筆記具に関するものである。
【０００２】
【従来の技術】
従来より本体のサイドを押圧して筆記具先端を出没させる方法は数多く出願させている。例えば、実開平７−３３６８７号（以下、（イ）とする）、特開平８−３２４１８１号（以下、（ロ）とする）、特開平１０−３２９４８４号（以下、（ハ）とする）、特開平１１−３４８４８８号（以下、（二）とする）、特開２０００−１２７６７９号（以下、（ホ）とする）、特開２０００−１３５８９６号（以下、（へ）とする）、実用新案登録２５９８１１０号（以下、（ト）がある）がある。
【０００３】
（イ）は、ノック部材と複数の傾斜面（係合部）から成り、ノック部分はノック部分の後方の係合突起により片持ちであり、筆記具本体から突出したノック部分前方を押し込むことにより筆記体を所定量繰り出す考案である。
こうした構成は、ノック部分をプッシュする際に一方にしかなく、持ち替えたり、プッシュ釦の確認を必要とし使い勝手が悪い。
（ロ）は、揺動子の後方で片持ち支持され、前方とカム面の係合当接により摺動子を前後に摺動させ筆記具先端を出没、収納させる発明である。（ロ）は、(イ)と同様筆記具本体から揺動子が突出しており、常に揺動子前方を押し込むことにより筆記具先端の出没、収納するものである。また（イ）と同様な使い勝っての悪い構成である。
【０００４】
（ハ）は、ノック駒の前部傾斜面と後部傾斜面によりテーパーブロックの傾斜面とスライダーの傾斜面に当接しており、筆記具本体表面より常時は突出しているノック駒を押圧し前記テーパーブロックとスライダーを押し広げ、筆記具先端を露呈、収納する筆記具である。また、ロックする方法としては回転カムと回転子により固定するものである。こうした出願は本体サイドを押圧するプッシュ釦が本体外観より常に突出しておりデザイン的にも見栄えがしないばかりか設計上も制約を受けるものである。またサイドのプッシュ部分とロック部材を別部材としなければならず部品点数も多く必要となる。（ニ）は、筆記具後方にノック体を設けた構成になっており、ノック体前方端と移動駒の傾斜面とが当接しており、ノック体の前方を筆記具軸線方向に押込み、移動駒を前方に移動させ、回転体、カム面等で筆記具先端を露呈保持し、更なる、ノック体への押込みで筆記具先端を収納することになる。
【０００５】
(ホ)は、ノックボタンを筆記具中央に設けた筆記具であり、ノックボタンの先端と傾斜面とが当接しており、ノックボタンの前方を押圧して筆記具軸線方向に押込みスライダーの傾斜面を前方に押圧する。この前方への移動により回転体に回転力を与えて、筆記具先端の露呈、収納を行うものである。
（二）及び（ホ）は、ノック本体やノックボタンが筆記具外装より突出しており、これら押圧体は片持ちであり前方を押圧して傾斜面を用いて前方に力を加え、その力を回転カム等の従来部品を用いて筆記具先端を露呈、収納する構成である。ノック体やノックボタンが片持ちで突出しているので誤操作を招きやすく、筆記具先端が露呈したりすると服やその他の物を汚す結果となる。
【０００６】
（へ）は、筆記具の摺動部材の発明であり、押圧ボタンには２ヶ所の脚（押圧突起に当る部分）が設けられており、同様にスライダーもこれに対応する様に傾斜面を２ヶ所設けて押圧ボタンを筆記具軸線に対して全体的に垂直に押圧することによりスライダーを前方に移動させ回転カム、摺動カムにより筆記具先端を出没、収納を行う発明である。
【０００７】
（ト）は、サイドノック式筆記具であるが、考案内容はシャープペンシルの鉛芯の繰出し方法の考案であり、ノック部材は筆記具本体より常時は突出しており、更にノック部材の後端を片持ちとしており、前端を筆記具軸線方向に押込むことによりスライドブロックを前方に移動させる。そして鉛芯を繰出す。
【０００８】
したがって、これら従来技術からは、押圧するプッシュ釦が筆記具本体外観及び筆記具の後端より常に突出している構成である。また、プッシュ釦が筆記具本体外観の1ヶ所より常に突出していることからプッシュ釦をプッシュする際には、方向が発生し、筆記具を持ち替えたり、プッシュ釦を探すことになる。また１部こうした片持ちのプッシュ釦は少しでも当れば移動しやすいものであるので、筆記具先端が露呈し服や筆記具回りのものを汚すことになる。
【０００９】
【発明が解決しようとする課題】
以上の様に、従来の問題点は、
▲１▼押圧するプッシュ釦が片持ち状態の筆記具であり、筆記具本体外観から突出している為、ポケットや容器（筆箱）に入れた（筆記具を収納した）際、プッシュ釦が押圧されやすく、筆記具先端が露呈して服や筆記具の周辺を汚す結果となる。
▲２▼プッシュ釦が筆記具本体外観より常に1ヶ所のみ突出していることから、筆記具先端が露呈したりする際には、プッシュ釦の位置を確認しなければならず方向性が発生する。また、その際、筆記具の持ち替えが必要となる。
以上のような問題点を解決したサイドノック式筆記具を提供することを目的とする。
【００１０】
【課題を解決するための手段】
上記の課題を解決するために完成された第１の発明のサイドノック式筆記具は、外装本体の先端内部にスプリングより常に後方に弾発支持されたレフィール本体を配し、前記レフィール本体に羽根部を設け、前記外装本体の内壁にはカム溝が設けられ、前記カム溝に噛み合うように回転カムの突部を配設し、前記回転カムの後方、前記カム溝内には摺動カムの突起を配置させ、更に前記摺動カムの後方には上下動変換部材を配置し前端部を摺動カムに当接し、後端面には凹凸状部を有し、更に後方に外装本体の軸線に対して垂直方向に摺動可能とする押圧片を設けており、前記押圧片は前記外装本体に相対して穿設した孔から露呈され、前記回転カム、摺動カム、上下動変換部材、押圧片に挿設して前記レフィール本体を設け、前記押圧片には前記上下動変換部材の後端面の凹凸状部と当接する逆凹凸状部を設けており、軸線に対し垂直方向である押圧片の左右の摺動により上下動変換部材と同時に摺動カムを上下に摺動させるとともに、前面端が前記羽根部に当接している回転カムを回転させながら上下動させレフィール本体の筆記先端部を露呈、収納させることを特徴とする。
【００１１】
また、第２の発明は、摺動カムに当接保持するようにスプリング６Ｂを設け、更に上下動変換部材により前記スプリング６Ｂを覆い隠すように設けたことを特徴とする、第１の発明のサイドノック式筆記具である。また、第３の発明は、上下動変換部材の後端面と押圧片の前端面の凹凸形状のどちらか一方を凹部形状、他方を凸部形状としたことを特徴とする、第１の発明または第２の発明のサイドノック式筆記具である。また、第４の発明は、押圧片の後端面上に弾性戻り部材を設け、外装本体の内壁面に当接され、前記押圧片の軸線に対して垂直方向の左右の摺動により弾性戻り部材に弾発力が蓄積され、押圧片を常にもとの位置に戻ることを特徴とする、第１の発明または第２の発明または第３の発明のサイドノック式筆記具である。
【００１２】
【実施例】
本発明の実施例を図１、図２、図３、図４、図５、図６、図７、図８、図９より詳細に説明する。
１は、筆記具の外装本体であり、内部に前方から後方へスプリング６Ａ、レフィール本体２、回転カム３、摺動カム４、スプリング６Ｂ、上下動変換部材５、押圧片７を収納している。前記外装本体１の後方には、押圧片７が露呈する孔８を相対して穿設している。更に外装本体１の先端には先端具９が螺子嵌合により設けられ、この内部にはスプリング６Ａの一方端を当接支持しており、他方端はレフィール本体２の前方に設けられている羽根部１０により支持されて、前記レフィール本体２を弾発支持している。
【００１３】
前記外装本体１の内壁面には、回転カム３の周面に均一に設けられた３個の可動突起１１と摺動カム４の周面に均一設けられた３個の送り突起１２が、カム溝１３に摺動可能に配置されている。
スプリング６Ｂは、一方端を摺動カム４の段部に当接し、他方端を上下動変換部材５の内壁部に当接しており、スプリング６Ａ＞スプリング６Ｂであり、スプリング６Ｂは摺動カム４と回転カム３、上下動変換部材５と押圧片７を常に当接させる程度の弾発力の小さいものである。特にスプリング６Ｂの弾発力は、カム溝１３にあるペン芯収納位置若しくはペン芯出没位置の送り突起１２を変化させるものではない。
【００１４】
２は、液状インキまたはインキを含侵させた吸収体を内包した一般的なレフィール本体であり、先端部にスプリング６Ａの上方への移動を規制をする為の羽根部１０を設けている。前記レフィール本体２は、回転カム３、摺動カム４、上下動変換部材５、押圧片７を挿通している。
前記レフィール本体２の最先端には筆記具先端が設けられており、ボールペン、フェルトペン等の筆記具可能なものであれば特に問わない。
【００１５】
３は、可動突起１１を１２０度の角度で均一に３ヶ所に設けた円筒状の回転カムである。
前記可動突起１１の後端部は一方向の傾斜面が設けられており、鋸歯状部１９によって送られる。回転カム３の前面端はレフィール本体２の羽根部１０に常に当接している。
一方回転カム３の可動突起１１の傾斜面は筆記具先端が収納時及び露呈時には鋸歯状部１９と常に当接しており、更に筆記具先端収納時以外にはカム溝１３の滑走面１８及びカム溝１３の前端面に当接支持されている。
【００１６】
４は、円筒状の摺動カムであり、前端部は鋸歯状部１９を有しており、山が６角、谷が６角夫々均一に６０度の角度を有して設けられている。更に前記摺動カム４の外周面には送り突起１２が山と谷の頂点にかかった位置で１２０度ずつ均一に３ヶ所設けられている。５は、一部筒状の上下動変換部材であり、後端部には凹凸形状１３を設けており、中心にレフィール本体２が挿設される楕円形状若しくは円形状の孔１４が設けられている。上下動変換部材５と前記摺動カム４の間にはスプリング６Ｂが設けられ、前記摺動カム４は前方へ上下動変換部材５は後方へ弾発される。但し、スプリング６Ａとスプリング６Ｂの弾発力の差、違いは、６Ａ＞６Ｂであり、６Ｂは前記前記摺動カム４は前方へ上下動変換部材５は後方へ押しやる弾発力はあるが、６Ａを押動かす弾発力はない。
【００１７】
上下動変換部５の後方には押圧片７が設けられ、前記押圧片７の前端部に上下動変換部材の凹凸形状１３と当接する逆凹凸形状２２が設けられている。また、押圧片７の左右両端が外装本体１の孔８より露呈されている。
押圧片７の後端部は外装本体１の孔８後端で後方への位置を固定され、前記押圧片７は軸線に対して左右垂直方向に摺動可能としている。
【００１８】
７は、前記したように押圧片であり、前端に逆凹凸形状２２が設けられ、中央に楕円形状の孔１５が設けられている。孔１５にはレフィール本体２が挿通しており、押圧片の垂直軸に対して左右の摺動をも可能としている。
【００１９】
次に本発明の作用について詳細に説明する。
筆記具先端が収納された状態について、レフィール本体２の先端は、先端具９の孔１６より露呈しておらず、外装本体１の内壁面に設けたカム溝１３の溝１７の中に位置し、前記溝１７の後端に送り突起１２、可動突起１１が配置されてスプリング６Ａの弾発力により押圧されている。またこの時、上下動変換部材５の後端に設けられた凹凸形状１３と押圧片７の前端の逆凹凸形状２２の位置は夫々の凹部と凸部が噛み合う中央位置に位置している。（図３）
【００２０】
次に筆記具先端を露呈する状態について、まず押圧片７の露呈している部分を右若しくは左に軸に垂直摺動させる。摺動させると凹凸形状の噛み合っている状態から凸部と凸部の当接する状態になる。（図４）すると、押圧片７は最後端位置が規制されているので、スプリング６Ａの弾発力に抗して、上下動変換部材５と前記摺動カム４、回転カム３を前方に移動させると同時に、送り突起１２は前方に進み、摺動カム４の鋸歯状部１９により可動突起１１を前方に押しやり、図４の状態になる。
【００２１】
次に、可動突起１１は、自らの後端面の傾斜面と送り突起１２の前端の鋸歯状部１９と当接しており、溝１７から完全に可動突起１１が抜けスプリング６Ａの弾発力により滑走面１８を摺動し、固定位置１９に固定される。レフィール本体２の筆記具先端が露呈され固定されて筆記可能となる。（図５）
そして、上下動変換部材５の凹凸形状１３の凸部と押圧片７の逆凹凸形状２２の凸部と当接状態となっているので（図４）、スプリング６Ｂの弾発力で、図３の状態となり押圧片７は戻ることになる。押圧片７が外装本体１の２ヶ所の孔８から均一に露呈している。
【００２２】
スプリング６Ｂにより摺動カム４の鋸歯形状１９の位置は可動突起１１の傾斜面に当接されて筆記具先端が露呈され固定される。（図５）
筆記具を収納する状態について、押圧片７の露呈している部分を右若しくは左に軸線対し垂直摺動させる。摺動させると凹凸形状の噛み合っている状態から凸部と凸部の当接する状態になる。すると、上下動変換部材５はスプリング６Ｂに抗して前方に移動し、摺動カム４をスプリング６Ａに抗して前方に移動させ、回転カム３の可動突起１１をも前方に押圧する。あいまって回転カム３の前端が羽根部１０に常に当接しているためレフィール本体２自体をも前方に移動させる。固定位置２０の壁面を可動突起１１が前方に摺動移動し、壁面の前端の傾斜面と可動突起１１の傾斜面とが当接して、スプリング６Ａの弾発力により、前記両面が摺動して、次の溝１７に入りこむ。するとスプリング６Ａとスプリング６Ｂの弾発力の差により、可動突起１１と送り突起１２を後方に押圧しながら溝１７の最下位置まで戻る。こうして、レフィール本体２の最後方位置に位置させることが出来、筆記具先端を先端具内に収納することが出きる。
【００２３】
また、軸線に対して右若しくは左側に寄っている押圧片７は、上下動変換部材５の凹凸形状１３の凸部と押圧片７の逆凹凸形状２２の凸部と当接状態となっているので（図４）、スプリング６Ｂの弾発力で、図３の状態となり押圧片７は戻ることになる。押圧片７が外装本体１の２ヶ所の孔８から均一に露呈している。
【００２４】
以上のように筆記具先端が先端具より露呈、収納することが可能となる。
組立については、外装本体１が軸線に対して平行、又は垂直に分割可能であればよい。
次に、上下動変換部材５の後端面の凹凸形状１３や押圧片７の前端面の逆凹凸形状２２は、特に両者が噛み合い山（凸）と谷（凹）が存在し、押圧片７を左右に摺動させた時、山の高さと谷の深さが合計された位置に一時的に乗り上げることが出きる部分があれば特に規定するものではない。一例として、図７は円弧状の凹凸形状を有しており、図８は三角状の凹凸形状を有している。
【００２５】
更に、押圧片７の外装本体１の孔８から均一に露呈される状態にする作用はスプリング６Ｂによるが、前記スプリング６Ｂだけでは、材質や摺動される面等により更なる強い復元力が必要になる場合がある。また、本発明の構成を有していることから従来の技術よりは不用意にプッシュ釦（押圧片７）を押すことはないが、押圧押圧片７が外装本体１より常時は露呈されていることからより安全構成をとる場合もある。
【００２６】
こうした際に、図９のように押圧片７の後端面上に弾性戻り部材２１が設けられ、外装本体の内壁面に当接されている。従って、前記押圧片７の軸線に対して垂直方向の左右の摺動により弾性戻り部材に弾発力が蓄積され、押圧片７を常に元の位置に戻そうとする。よって、また逆に不用意に押圧片の露呈している部分に触れても、左右の摺動を生じないものとなる。
【００２７】
【効果】
こうした構成であるので、押圧片が外装本体の左右に露呈されていることから、1ヶ所の露呈に比べ１８０度の角度範囲で存在するので筆記具に方向性が出ることも無く、持ちかえる必要も無い。更に、常に押圧片の外装本体からの露呈が左右均一になっており、押圧片を左右どちらに押しても筆記具先端の露呈及び収納が可能となる。また片持ちのプッシュ釦（押圧片）で無い為、不用意な筆記具先端の出没を回避できるので、服等や筆記具周辺を汚すことが無い。
更に、押圧片７に弾性戻り部材２１を設けたことにより不用意に押圧片に接触しても押圧片７を摺動することはなく、常に押圧片７を元の位置に戻し、押圧片７の外装本体１の孔８からの均一露呈を保持でき、筆記具先端の露呈、収納が直ぐ可能になるサイドノック筆記具である。
【００２８】
【図面の簡単な説明】
【図１】本発明の実施例の全体図。
【図２】本発明の実施例の分解斜視説明図。
【図３】本発明の実施例のサイドノック筆記具の筆記具先端収納時の略説明図。
【図４】本発明の実施例のサイドノック筆記具の筆記具先端突出中の略説明図。
【図５】本発明の実施例のサイドノック筆記具の筆記具先端突出固定の略説明図。
【図６】本発明の実施例のサイドノック筆記具の筆記具先端収納時のカム溝、送り突起、可動突起の説明図。
【図７】本発明の実施例の凹凸形状が円弧状とした状態の説明図。
【図８】本発明の実施例の凹凸形状が三角形状とした状態の説明図。
【図９】本発明の実施例の押圧片に弾性戻り部材を設けた状態の説明図。
【符号の説明】
１  ：外装本体
２  ：レフィール本体
３  ：回転カム
４  ：摺動カム
５  ：上下動変換部材
６Ａ：スプリング
６Ｂ：スプリング
７  ：押圧片
８  ：孔
９  ：先端具
１０  ：羽根部
１１  ：可動突起
１２  ：送り突起
１３  ：凹凸形状
１４  ：孔
１５  ：孔
１６  ：孔
１７  ：溝
１８  ：滑走面
１９  ：鋸歯状部
２０  ：固定位置
２１  ：弾性戻り部材
２２  ：逆凹凸形状
【図１】
0003880854.tif 000002
【図２】
0003880854.tif 000003
【図３】
0003880854.tif 000004
【図４】
0003880854.tif 000005
【図５】
0003880854.tif 000006
【図６】
0003880854.tif 000007
【図７】
0003880854.tif 000008
【図８】
0003880854.tif 000009
【図９】
0003880854.tif 000010